(57)【特許請求の範囲】
【請求項１】
端末でＡＩＤ（ａｓｓｏｃｉａｔｉｏｎ  ＩＤ）再割り当て要請を実行する方法であって、
前記端末に現在接続されているアクセスポイントによってＡＩＤを割り当てられた前記端末が、ＡＩＤ再割り当て要請のための要請フレーム(Ｒｅｑｕｅｓｔ Ｆｒａｍｅ)を生成する段階と、
前記生成した要請フレームを現在前記端末が接続された(ａｓｓｏｃｉａｔｅｄ)前記アクセスポイントに伝送する段階と、
前記端末に現在接続されている前記アクセスポイントから、再割り当てされたＡＩＤ情報を含んだ応答フレーム(Ｒｅｓｐｏｎｓｅ Ｆｒａｍｅ)を受信する段階と、
を含むことを特徴とする方法。
【請求項２】
前記要請フレームはＡＩＤ再割り当て要請(ＡＩＤ Ｒｅａｓｓｉｇｎｍｅｎｔ Ｒｅｑｕｅｓｔ)要素(ｅｌｅｍｅｎｔ)を含むことを特徴とする、請求項１に記載の方法。
【請求項３】
前記ＡＩＤ再割り当て要請は、前記端末のサービスタイプが変更されるか、前記端末の残りの電力が低下する若しくは低電力モード(Ｌｏｗ Ｐｏｗｅｒ Ｍｏｄｅ)に変更されるか、前記端末のリッスン・インターバル(Ｌｉｓｔｅｎ Ｉｎｔｅｒｖａｌ)が変更されるか、又は、前記端末のトラフィックパターンが変更されるか、の中で少なくとも一つの場合に実行されることを特徴とする、請求項１に記載の方法。
【請求項４】
前記要請フレームは、前記端末のリッスン・インターバル情報か、又は前記端末のサービスタイプ情報の中で少なくとも一つの情報をさらに含むことを特徴とする、請求項１に記載の方法。
【請求項５】
前記要請フレームは再割り当て要請フレームであり、前記応答フレームは再割り当て応答フレームであることを特徴とする、請求項１に記載の方法。
【請求項６】
前記要請フレームは、ＡＩＤ変更のためのＡＩＤ再割り当て要請フレームであり、前記応答フレームは、ＡＩＤ変更のためのＡＩＤ再割り当て応答フレームであることを特徴とする、請求項１に記載の方法。
【請求項７】
アクセスポイントでＡＩＤ（ａｓｓｏｃｉａｔｉｏｎ  ＩＤ）再割り当てを実行する方法であって、
前記アクセスポイントと現在接続され(ａｓｓｏｃｉａｔｅｄ)、前記アクセスポイントによって既にＡＩＤが割り当てられた端末から、ＡＩＤ再割り当て要請のための要請フレーム(Ｒｅｑｕｅｓｔ Ｆｒａｍｅ)を受信する段階と、
再割り当てされたＡＩＤの情報を含む応答フレーム(Ｒｅｓｐｏｎｓｅ Ｆｒａｍｅ)を前記端末に伝送する段階と、
を含むことを特徴とする方法。
【請求項８】
前記要請フレームはＡＩＤ再割り当て要請(ＡＩＤ Ｒｅａｓｓｉｇｎｍｅｎｔ Ｒｅｑｕｅｓｔ)要素(ｅｌｅｍｅｎｔ)を含むことを特徴とする、請求項７に記載の方法。
【請求項９】
前記再割り当てされたＡＩＤは、前記端末のサービスタイプ、前記端末の残りの電力、前記端末が低電力モード(Ｌｏｗ Ｐｏｗｅｒ Ｍｏｄｅ)に変更されたかどうか、前記端末のリッスン・インターバル(Ｌｉｓｔｅｎ Ｉｎｔｅｒｖａｌ)、又は、前記端末のトラフィックパターン、のうちの少なくとも一つに基づいて決定されることを特徴とする、請求項７に記載の方法。
【請求項１０】
前記要請フレームは、前記端末のリッスン・インターバル情報、又は前記端末のサービスタイプ情報の中で少なくとも一つの情報をさらに含むことを特徴とする、請求項７に記載の方法。
【請求項１１】
前記要請フレームは再割り当て要請フレームであり、前記応答フレームは再割り当て応答フレームであることを特徴とする、請求項７に記載の方法。
【請求項１２】
前記要請フレームは、ＡＩＤ変更のためのＡＩＤ再割り当て要請フレームであり、前記応答フレームは、ＡＩＤ変更のためのＡＩＤ再割り当て応答フレームであることを特徴とする、請求項７に記載の方法。
【請求項１３】
ＡＩＤ（ａｓｓｏｃｉａｔｉｏｎ  ＩＤ）再割り当て要請を実行する端末であって、
トランシーバと
プロセッサとを含み、
前記プロセッサは、
前記端末に現在接続されているアクセスポイントによって前記端末がＡＩＤを割り当てられた後に、ＡＩＤ再割り当て要請のための要請フレーム(Ｒｅｑｕｅｓｔ Ｆｒａｍｅ)を生成し、
前記トランシーバを用いて、生成された前記要請フレームを現在前記端末が接続された(ａｓｓｏｃｉａｔｅｄ)前記アクセスポイントに伝送し、
前記トランシーバを用いて、前記端末に現在接続されている前記アクセスポイントから、再割り当てされたＡＩＤ情報を含んだ応答フレームを受信するように構成された、端末。
【請求項１４】
ＡＩＤ（ａｓｓｏｃｉａｔｉｏｎ  ＩＤ）再割り当てを実行するアクセスポイントであって、
トランシーバと
プロセッサとを含み、
前記プロセッサは、
前記トランシーバを用いて、前記アクセスポイントと現在接続され(ａｓｓｏｃｉａｔｅｄ)、前記アクセスポイントによって既にＡＩＤが割り当てられた端末から、ＡＩＤ再割り当て要請のための要請フレームを受信し、
前記トランシーバを用いて、再割り当てされたＡＩＤ情報を含む要請フレームを前記端末に伝送するように構成された、アクセスポイント。
【発明の詳細な説明】
【技術分野】
【０００１】
本発明は、無線通信技術に関し、より詳細には、端末の特性変更によって無線ＬＡＮシステムを最適で運用することができるＡＩＤ再割り当て方法及びＡＩＤ再割り当て方法を実行する装置に関する。
【背景技術】
【０００２】
情報通信技術の発展に連れて多様な無線通信技術が開発されている。このうち無線ＬＡＮ(ＷＬＡＮ：ｗｉｒｅｌｅｓｓ ｌｏｃａｌ ａｒｅａ ｎｅｔｗｏｒｋ)は、無線周波数技術に基づいて個人用携帯情報端末機(ＰＤＡ：ｐｅｒｓｏｎａｌ ｄｉｇｉｔａｌ ａｓｓｉｓｔａｎｔ)、ラップトップ型コンピュータ(ｌａｐｔｏｐ ｃｏｍｐｕｔｅｒ)、携帯型マルチメディアプレーヤー(ＰＭＰ：ｐｏｒｔａｂｌｅ ｍｕｌｔｉｍｅｄｉａ ｐｌａｙｅｒ)などのような携帯型端末機を使用して家庭や企業または特定サービス提供地域において無線でインターネットに接続できるようにする技術である。
【０００３】
無線ＬＡＮ技術に対する標準は、ＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２.１１委員会下のＩＥＥＥ８０２.１１ＷＧ(Ｗｏｒｋｉｎｇ Ｇｒｏｕｐ)により開発され標準化される。ＩＥＥＥ８０２.１１ａは、５ＧＨｚで非認可帯域(ｕｎｌｉｃｅｎｓｅｄ ｂａｎｄ)を利用して、５４Ｍｂｐｓの最大伝送速度(ｍａｘｉｍｕｍ ＰＨＹ ｄａｔａｒａｔｅ)を提供する。ＩＥＥＥ８０２.１１ｂは、２.４ＧＨｚで直接シーケンス方式(ＤＳＳＳ：ｄｉｒｅｃｔ ｓｅｑｕｅｎｃｅ ｓｐｒｅａｄｓｐｅｃｔｒｕｍ)を適用して、１１Ｍｂｐｓの最大伝送速度(ｍａｘｉｍｕｍＰＨＹ ｄａｔａ ｒａｔｅ)を提供する。ＩＥＥＥ８０２.１１ｇは、２.４ＧＨｚで直交周波数分割多重化(ＯＦＤＭ：ｏｒｔｈｏｇｏｎａｌ ｆｒｅｑｕｅｎｃｙｄｉｖｉｓｉｏｎ ｍｕｌｔｉｐｌｅｘｉｎｇ)を適用して、５４Ｍｂｐｓの最大伝送速度(ｍａｘｉｍｕｍ ＰＨＹ ｄａｔａ ｒａｔｅ)を提供する。ＩＥＥＥ８０２.１１ｎは、２個の空間的なストリーム(ｓｐａｔｉａｌ ｓｔｒｅａｍ)と４０ＭＨｚ帯域幅を使用した時、３００Ｍｂｐｓの最大伝送速度(ｍａｘｉｍｕｍＰＨＹ ｄａｔａ ｒａｔｅ)を提供し、４個の空間的なストリーム(ｓｐａｔｉａｌｓｔｒｅａｍ)と４０ＭＨｚの帯域幅を使用した時、６００Ｍｂｐｓの最大伝送速度(ｍａｘｉｍｕｍＰＨＹ ｄａｔａ ｒａｔｅ)を提供する。
【０００４】
このような無線ＬＡＮの普及が活性化され、これを利用したアプリケーションが多様化されることによって、ＩＥＥＥ８０２.１１ｎが支援するデータ処理速度より一層高い処理率を支援するための新しい無線ＬＡＮ技術に対する必要性が増加している。ＶＨＴ(ｖｅｒｙ ｈｉｇｈ ｔｈｒｏｕｇｈｐｕｔ)無線ＬＡＮ技術は、８０２.１１無線ＬＡＮ技術の一つとして、１Ｇｂｐｓ以上のデータ処理速度を支援するために提案されている。そのうち、ＩＥＥＥ８０２.１１ａｃは、５ＧＨｚ帯域でＶＨＴを提供するための標準として開発されており、ＩＥＥＥ８０２.１１ａｄは、６０ＧＨｚ帯域でＶＨＴを提供するための標準として開発されている。
【０００５】
このような無線ＬＡＮ技術に基づいたシステムにおいて、アクセスポイントは、端末が接続される順に個別ＡＩＤ(Ａｓｓｏｃｉａｔｉｏｎ ＩＤ)を付与して端末を管理した。しかし、８０２.１１ａｈの使用例のように、６０００個以上の端末を支援しなければならない場合、アクセスポイントは、特性が類似な端末をグループ化してＡＩＤを付与した後に管理することが効果的である。
【０００６】
すなわち、アクセスポイントは、複数の端末をページ(ｐａｇｅ)単位にグループ化して互いに異なる周期でＴＩＭ要素(ＴＩＭ ｅｌｅｍｅｎｔ)を設定することにより、トラフィック量と同時チャンネル接続量を調節することができる。
【０００７】
一方、ＴＩＭが設定される周期にトラフィックの過負荷が発生する場合、特定ページグループの端末の中で一部を他のページに変更するためにＡＩＤを再割り当てする必要性がある。また、端末のサービスタイプが変更された場合、端末のトラフィック特性が変更された場合これに相応するように再割り当てする必要性がある。
【０００８】
上述のような必要性によってＡＩＤ割り当て要請に対する研究が進行されているが、ＡＩＤ割り当てに関する具体的な方法は未だ非公開状態である。
【発明の概要】
【発明が解決しようとする課題】
【０００９】
本発明は、前記のような従来の諸問題点を解消するために提案されたものであって、その目的は、端末の特性変更によって無線ＬＡＮシステムを最適で運用することができるＡＩＤ再割り当て方法を提供することにある。
【００１０】
また、本発明の他の目的は、前記ＡＩＤ再割り当て方法を実行する装置を提供することにある。
【課題を解決するための手段】
【００１１】
前記目的を達成するための本発明の一実施例によるＴＩＭスケジューリング方法によれば、ＡＩＤ再割り当て要請のための再接続要請フレームを生成する段階と、前記生成した再接続要請フレームを現在接続されたアクセスポイントに伝送する段階と、前記アクセスポイントからＡＩＤ再割り当て情報を含んだ再接続応答フレームを受信する段階と、を含む。
【００１２】
ここで、前記ＡＩＤ再割り当て要請のための再接続要請フレームを生成する段階は、ＡＩＤ再割り当て要請要素を含む再接続要請フレームを生成することができる。
【００１３】
ここで、前記ＡＩＤ再割り当て要請要素は、ＡＩＤ再割り当て要請理由フィールドを含むことができる。
【００１４】
ここで、前記ＡＩＤ再割り当て要請理由フィールドは、サービスタイプ変更情報、低電力モード情報、リッスン・インターバル変更情報、トラフィックパターン変更情報及び残余バッテリー情報の中で少なくとも一つの情報を含むことができる。
【００１５】
ここで、前記再接続要請フレームは、サービスタイプ要素(ｅｌｅｍｅｎｔ)をさらに含み、前記ＡＩＤ再割り当て要請理由フィールドが前記サービスタイプ変更情報を含む場合、前記サービスタイプ変更情報に基づいて変更されたサービスタイプを前記サービスタイプ要素に含ませることができる。
【００１６】
ここで、前記ＡＩＤ再割り当て方法は、ＡＩＤ再割り当てが必要であるか否かを判断する段階をさらに含むことができる。
【００１７】
ここで、前記ＡＩＤ再割り当てが必要であるか否かを判断する段階は、前記端末のトラフィックパターン情報、バッテリー情報及びサービスタイプ情報の中で少なくとも一つの情報に基づいて前記ＡＩＤ再割り当てが必要であるか否かを判断することができる。
【００１８】
また、本発明の他の目的を達成するための本発明の一実施例によるＴＩＭスケジューリング方法によれば、現在接続された端末から再接続要請フレームを受信する段階と、前記再接続要請フレームに基づいて前記端末のＡＩＤを再割り当てする段階と、前記再割り当てたＡＩＤを含む再接続応答フレームを前記端末に伝送する段階と、を含む。
【００１９】
ここで、前記現在接続された端末から再接続要請フレームを受信する段階は、前記現在接続された端末からＡＩＤ再割り当て要請要素を含む再接続要請フレームを受信することができる。
【００２０】
ここで、前記ＡＩＤ再割り当て要請要素は、ＡＩＤ再割り当て要請理由フィールドを含むことができる。
【００２１】
ここで、前記再接続要請フレームに基づいて前記端末のＡＩＤを再割り当てする段階は、前記再接続要請フレームに含まれた現在ＡＰアドレス、ＳＳＩＤ及び前記ＡＩＤ再割り当て要請要素を確認する段階と、確認結果、前記再接続要請フレームがＡＩＤ再割り当て要請であれば、前記ＡＩＤ再割り当て要請要素に含まれた前記ＡＩＤ再割り当て要請理由に基づいて前記端末のＡＩＤを再割り当てする段階と、を含むことができる。
【００２２】
ここで、前記再接続応答フレームは、ＡＩＤ再割り当て成功情報、ＡＩＤ再割り当て失敗情報及び再割り当てされたＡＩＤ情報の中で少なくとも一つの情報を含むことができる。
【００２３】
また、本発明のまた他の目的を達成するための本発明の一実施例による端末によれば、送受信部と、ＡＩＤ再割り当て要請のための再接続要請フレームを生成し、前記生成した再接続要請フレームを現在接続されたアクセスポイントに伝送した後、前記アクセスポイントからＡＩＤ再割り当て情報を含んだ再接続応答フレームを受信するプロセッシング部と、を含む。
【００２４】
ここで、前記プロセッシング部は、ＡＩＤ再割り当て要請要素を含む再接続要請フレームを生成することができる。
【００２５】
ここで、前記ＡＩＤ再割り当て要請要素は、ＡＩＤ再割り当て要請理由フィールドを含むことができる。
【００２６】
ここで、前記ＡＩＤ再割り当て要請理由フィールドは、サービスタイプ変更情報、低電力モード情報、リスンインターバル変更情報、トラフィックパターン変更情報及び残余バッテリー情報の中で少なくとも一つの情報を含むことができる。
【００２７】
ここで、前記プロセッシング部は、前記端末のトラフィックパターン情報、バッテリー情報及びサービスタイプ情報の中で少なくとも一つの情報に基づいてＡＩＤ再割り当てが必要であるか否かを判断することができる。
【００２８】
また、本発明のまた他の目的を達成するための本発明の一実施例によるアクセスポイントによれば、通信部と、前記通信部を通じて端末から受信されたＡＩＤ再割り当て要請要素を含む再接続要請フレームに基づいて前記端末のＡＩＤを再割り当てして、前記再割り当てたＡＩＤを含む再接続応答フレームを、前記通信部を通じて前記端末に伝送するプロセッシング部と、を含む。
【００２９】
ここで、前記ＡＩＤ再割り当て要請要素は、ＡＩＤ再割り当て要請理由フィールドを含むことができる。
【００３０】
ここで、前記プロセッシング部は、前記再接続要請フレームに含まれた現在ＡＰアドレス、ＳＳＩＤ及び前記ＡＩＤ再割り当て要請要素を確認した結果、前記再接続要請フレームがＡＩＤ再割り当て要請であれば、前記ＡＩＤ再割り当て要請要素に含まれた前記ＡＩＤ再割り当て要請理由に基づいて前記端末のＡＩＤを再割り当てすることができる。
【発明の効果】
【００３１】
前記のような本発明の一実施例によるＡＩＤ再割り当て方法及びＡＩＤ再割り当て方法を実行する装置によれば、端末のＡＩＤを再割り当てする必要がある場合、ＡＩＤ再割り当て要請要素を追加して再接続要請フレームを生成し、生成した再接続要請フレームを現在接続されたアクセスポイントに伝送した後、アクセスポイントからＡＩＤ再割り当て情報を含んだ再接続応答フレームを受信する。
【００３２】
したがって、端末の特性変更によって現在接続された端末のＡＩＤを動的に再割り当てすることができるので、無線ＬＡＮシステムを最適で運用することができる。
【図面の簡単な説明】
【００３３】
【図１】図１は、ＩＥＥＥ８０２.１１無線ＬＡＮシステムの構成に対する一実施例を示した概念図である。
【図２】図２は、無線ＬＡＮシステムでデータ伝送のための結合過程を示した概念図である。
【図３】図３は、ＴＩＭ要素フォーマット(ＴＩＭｅｌｅｍｅｎｔ ｆｏｒｍａｔ)を示した概念図である。
【図４】図４は、無線ＬＡＮシステムでパワーセービングモードのメカニズムを示した概念図である。
【図５】図５は、階層的ＡＩＤ構造を示した概念図である。
【図６】図６は、グループ化されたページと互いに異なる周期で設定されたＴＩＭ要素を示した概念図である。
【図７】図７は、再接続要請フレーム構造を示した概念図である。
【図８】図８は、本発明の一実施例によって端末で実行するＴＩＭ再割り当て方法を示したフローチャートである。
【図９】図９は、本発明の一実施例による再接続要請フレーム構造を示した概念図である。
【図１０】図１０は、本発明の一実施例によるＡＩＤ再割り当て要請要素フォーマットを示した概念図である。
【図１１】図１１は、本発明の一実施例によるＡＩＤ再割り当て要請理由フィールドを示した概念図である。
【図１２】図１２は、本発明の一実施例によるサービスタイプ要素フォーマットを示した概念図である。
【図１３】図１３は、本発明の一実施例によってアクセスポイントで実行するＴＩＭ再割り当て方法を示したフローチャートである。
【図１４】図１４は、本発明の一実施例による再割り当て応答フレーム構造を示した概念図である。
【図１５】図１５は、本発明の一実施例によるＡＩＤ再割り当て方法を実行する端末の構成を示した図である。
【図１６】図１６は、本発明の一実施例によるＡＩＤ再割り当て方法を実行する端末の構成を示した図である。
【発明を実施するための形態】
【００３４】
本発明は、多様に変更可能であり、さまざまな実施形態を有することができる。ここでは、特定の実施形態を図面に例示して詳細に説明する。
【００３５】
しかし、これは本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【００３６】
第１、第２などの用語は、多様な構成要素を説明するために使用することがあるが、前記構成要素は前記用語により限定されものではない。前記用語は、一つの構成要素を他の構成要素から区別するための目的のみで使用される。例えば、本発明の権利範囲を脱しない範囲で、第１の構成要素は第２の構成要素と命名することができ、類似に第２の構成要素も第１の構成要素と命名することができる。及び/またはとの用語は、複数の関連された記載された項目の組み合わせまたは複数の関連された記載された項目の中のいずれか一項目を含む。
【００３７】
いかなる構成要素が他の構成要素に「連結されて」いるか、あるいは「接続されて」いるとの用語は、ある構成要素が他の構成要素に直接的に連結されるかあるいは接続されることもできるが、中間に他の構成要素が介在することもできることを意味する。一方に、ある構成要素が他の構成要素に「直接連結されて」いるかあるいは「直接接続されて」いるとの用語は、中間に他の構成要素が存在しないことを意味する。
【００３８】
本明細書で使用した用語は、但し、特定の実施形態を説明するために使用されたもので、本発明はこれに限定されるものではない。単数の表現は、文脈上明白に異なる記載がない限り複数の表現を含む。本出願において、「含む」または「有する」などの用語は、明細書上に記載された特徴、数字、ステップ、動作、構成要素、部品またはこれらを組み合わせたものが存在することを指定するのであって、一つまたはその以上の他の特徴や数字、ステップ、動作、構成要素、部品またはこれらを組み合わせたものなどの存在または付加可能性をあらかじめ排除することではない。
【００３９】
特定しない限り、技術的や科学的な用語を含んでここで使用されるすべての用語は、本発明が属する技術分野で通常の知識を有する者により一般的に理解される意味と同様の意味を有する。一般的に使用される辞典に定義された用語は、関連技術の文脈上有する意味と一致することと理解し、本出願において明白に定義しない限り、理想的や過度に形式的な意味を有することとして解釈しない。
【００４０】
以下、添付の図面を参照しながら本発明の好ましい実施例を詳しく説明する。本発明の説明において、全体的な理解を容易にするために図面上の同一構成要素に対しては同一参照符号を使用し、同一構成要素に対して重複説明は省略する。
【００４１】
明細書全体において、ステーション(ＳＴＡ：ｓｔａｔｉｏｎ)は、ＩＥＥＥ(Ｉｎｓｔｉｔｕｔｅｏｆ Ｅｌｅｃｔｒｉｃａｌ ａｎｄ Ｅｌｅｃｔｒｏｎｉｃｓ Ｅｎｇｉｎｅｅｒｓ)８０２.１１標準の規定による媒体接続制御(ＭＡＣ：ｍｅｄｉｕｍ ａｃｃｅｓｓ ｃｏｎｔｒｏｌ)と無線媒体(ｍｅｄｉｕｍ)に対する物理階層(ｐｈｙｓｉｃａｌ ｌａｙｅｒ)インターフェース(ｉｎｔｅｒｆａｃｅ)を含む任意の機能媒体を意味する。ステーション(ＳＴＡ)は、アクセスポイント(ＡＰ：ａｃｃｅｓｓｐｏｉｎｔ)であるステーション(ＳＴＡ)と非アクセスポイント(ｎｏｎ−ＡＰ)であるステーション(ＳＴＡ)に区分することができる。アクセスポイント(ＡＰ)であるステーション(ＳＴＡ)は、単純にアクセスポイント(ＡＰ)と呼ばれることがある、非アクセスポイント(ｎｏｎ−ＡＰ)であるステーション(ＳＴＡ)は、単純に端末(ｔｅｒｍｉｎａｌ)と呼ばれることがある。
【００４２】
端末(ｔｅｒｍｉｎａｌ)は、プロセッサ(Ｐｒｏｃｅｓｓｏｒ)とトランシーバ(ｔｒａｎｓｃｅｉｖｅｒ)を含み、ユーザインターフェースとディスプレイ(ｄｉｓｐｌａｙ)装置などをさらに含むことができる。プロセッサは、無線ネットワークを通じて伝送するフレームを生成するか無線ネットワークを通じて受信されたフレームを処理するように考案されたユニット(ｕｎｉｔ)を意味し、ステーション(ＳＴＡ)を制御するための多様な機能を実行する。トランシーバは、プロセッサと機能的に接続されており、ステーション(ＳＴＡ)のために無線ネットワークを通じてフレームを送受信するように考案されたユニットを意味する。
【００４３】
アクセスポイント(ＡＰ)は、集中制御機、基地局(ＢＳ：ｂａｓｅ ｓｔａｔｉｏｎ)、ノードＢ(ｎｏｄｅ−Ｂ)、ｅノードＢ、ＢＴＳ(ｂａｓｅ ｔｒａｎｓｃｅｉｖｅｒ ｓｙｓｔｅｍ)またはサイト制御機などを指称することがあり、それらの一部または全部の機能を含むことができる。
【００４４】
端末は、ユーザ装備(ＵＥ：ＵｓｅｒＥｑｕｉｐｍｅｎｔ)、移動局(ＭＳ：Ｍｏｂｉｌｅ Ｓｔａｔｉｏｎ)、ユーザターミナル(ＵＴ：Ｕｓｅｒ Ｔｅｒｍｉｎａｌ)、無線ターミナル、アクセスターミナル(ＡＴ：Ａｃｃｅｓｓ Ｔｅｒｍｉｎａｌ)、ターミナル、加入者ユニット(Ｓｕｂｓｃｒｉｂｅｒ Ｕｎｉｔ)、加入者ステーション(ＳＳ：Ｓｕｂｓｃｒｉｂｅｒ Ｓｔａｔｉｏｎ)、無線器機(ｗｉｒｅｌｅｓｓ ｄｅｖｉｃｅ)、無線通信デバイス、無線送受信ユニット(ＷＴＲＵ：Ｗｉｒｅｌｅｓｓ Ｔｒａｎｓｍｉｔ/Ｒｅｃｅｉｖｅ Ｕｎｉｔ)、移動ノード、モバイルまたは他の用語で指称されることができる。端末機の多様な実施例は、携帯電話、無線通信機能を有するスマートフォン、無線通信機能を有する個人携帯用端末機(ＰＤＡ)、無線モデム、無線通信機能を有する携帯用コンピュータ、無線通信機能を有するデジタルカメラのような撮影装置、無線通信機能を有するゲーミング(ｇａｍｉｎｇ)装置、無線通信機能を有する音楽保存及び再生家電製品、無線インターネット接続及びブラウジングが可能なインターネット家電製品だけではなく、そのような機能の組合せを統合している携帯型ユニットまたは端末機を含むことができるが、これに限定されるものではない。
【００４５】
図１は、ＩＥＥＥ８０２.１１無線ＬＡＮシステムの構成に対する一実施例を示した概念図である。
【００４６】
図１を参照すれば、ＩＥＥＥ８０２.１１無線ＬＡＮシステムは、少なくとも一つの基本サービスセット(ＢＳＳ：ｂａｓｉｃｓｅｒｖｉｃｅ ｓｅｔ)を含む。ＢＳＳは、同期化を行ってお互いに通信できるステーション(ＳＴＡ１、ＳＴＡ２(ＡＰ１)、ＳＴＡ３、ＳＴＡ４、ＳＴＡ５(ＡＰ２))の集合を意味し、特定領域を意味するものではない。
【００４７】
ＢＳＳは、インフラストラクチャＢＳＳ(ｉｎｆｒａｓｔｒｕｃｔｕｒｅ ＢＳＳ)と独立ＢＳＳ(ＩＢＳＳ：ｉｎｄｅｐｅｎｄｅｎｔ ＢＳＳ)とに区分することができ、ＢＳＳ１とＢＳＳ２は、インフラストラクチャＢＳＳを意味する。ＢＳＳ１は、端末(ＳＴＡ１)、分配サービス(ｄｉｓｔｒｉｂｕｔｉｏｎｓｅｒｖｉｃｅ)を提供するアクセスポイント(ＳＴＡ２(ＡＰ１))及び多数のアクセスポイント(ＳＴＡ２(ＡＰ１)、ＳＴＡ５(ＡＰ２))を連結する分配システム(ＤＳ：Ｄｉｓｔｒｉｂｕｔｉｏｎ Ｓｙｓｔｅｍ)を含むことができる。ＢＳＳ１でアクセスポイント(ＳＴＡ２(ＡＰ１))は、端末(ＳＴＡ１)を管理する。
【００４８】
ＢＳＳ２は、端末(ＳＴＡ３、ＳＴＡ４)、分配サービスを提供するアクセスポイント(ＳＴＡ５(ＡＰ２))及び多数のアクセスポイント(ＳＴＡ２(ＡＰ１)、ＳＴＡ５(ＡＰ２))を連結する分配システムを含むことができる。ＢＳＳ２でアクセスポイント(ＳＴＡ５(ＡＰ２))は、端末(ＳＴＡ３、ＳＴＡ４)を管理する。
【００４９】
一方、独立ＢＳＳは、アドホック(ａｄ−ｈｏｃ)モードで動作するＢＳＳである。ＩＢＳＳは、アクセスポイントを含まないので、中央で管理機能を実行する個体(ｃｅｎｔｒａｌｉｚｅｄ ｍａｎａｇｅｍｅｎｔ ｅｎｔｉｔｙ)が存在しない。すなわち、ＩＢＳＳで端末は分配された方式(ｄｉｓｔｒｉｂｕｔｅｄ ｍａｎｎｅｒ)で管理される。ＩＢＳＳですべての端末は移動端末からなることができ、分配システム(ＤＳ)への接続が許容されないので、自己完備的なネットワーク(ｓｅｌｆ−ｃｏｎｔａｉｎｅｄ ｎｅｔｗｏｒｋ)を成す。
【００５０】
アクセスポイント(ＳＴＡ２(ＡＰ１)、ＳＴＡ５(ＡＰ２))は、自分に接続された(ａｓｓｏｃｉａｔｅｄ)端末(ＳＴＡ１、ＳＴＡ３、ＳＴＡ４)のために無線媒体を通じた分配システム(ＤＳ)に対する接続を提供する。ＢＳＳ１またはＢＳＳ２で端末(ＳＴＡ１、ＳＴＡ３、ＳＴＡ４)間の通信は、一般的にアクセスポイント(ＳＴＡ２(ＡＰ１)、ＳＴＡ５(ＡＰ２))を通じて行われるが、ダイレクトリンク(ｄｉｒｅｃｔ ｌｉｎｋ)が設定された場合には、端末(ＳＴＡ１、ＳＴＡ３、ＳＴＡ４)間の直接通信が可能である。
【００５１】
複数のインフラストラクチャＢＳＳは、分配システム(ＤＳ)を通じて相互接続され得る。分配システム(ＤＳ)を通じて接続された複数のＢＳＳを、拡張サービスセット(ＥＳＳ：ｅｘｔｅｎｄｅｄ ｓｅｒｖｉｃｅ ｓｅｔ)と言う。ＥＳＳに含まれるステーションはお互いに通信することができ、同一なＥＳＳ内で端末は切れることなく通信しながら一つのＢＳＳから他のＢＳＳに移動することができる。
【００５２】
分配システム(ＤＳ)は、一つのアクセスポイントが他のアクセスポイントと通信するためのメカニズム(ｍｅｃｈａｎｉｓｍ)であって、これによると、アクセスポイントは、自分が管理するＢＳＳに結合されている端末のためにフレームを伝送するか、他のＢＳＳに移動した任意の端末のためにフレームを伝送することができる。また、アクセスポイントは、有線ネットワークなどのような外部ネットワークとフレームを送受信することができる。このような分配システム(ＤＳ)は、必ずネットワークである必要はなくて、ＩＥＥＥ８０２.１１標準に規定された所定の分配サービスを提供することができるものであれば、その形態に対して特別に制限はない。例えば、分配システムは、メッシュネットワーク(ｍｅｓｈ ｎｅｔｗｏｒｋ)のような無線ネットワークであるか、アクセスポイントをお互いに接続させる物理的な構造物であってもよい。
【００５３】
後述する本発明の一実施例によるＡＩＤ再割り当て方法は、上述したＩＥＥＥ８０２.１１無線ＬＡＮシステムに適用することができ、さらに、ＩＥＥＥ８０２.１１無線ＬＡＮシステムだけではなくＷＰＡＮ(Ｗｉｒｅｌｅｓｓ Ｐｅｒｓｏｎａｌ Ａｒｅａ Ｎｅｔｗｏｒｋ)、ＷＢＡＮ(Ｗｉｒｅｌｅｓｓ Ｂｏｄｙ Ａｒｅａ Ｎｅｔｗｏｒｋ)などのような多様なネットワークに適用することができる。
【００５４】
図２は、無線ＬＡＮシステムでデータ伝送のための結合過程を示した概念図である。
【００５５】
インフラストラクチャＢＳＳで端末(ＳＴＡ)がデータを送受信するため、まず、端末(ＳＴＡ)はアクセスポイント(ＡＰ)と連結されなければならない。
【００５６】
図２を参照すれば、インフラストラクチャＢＳＳで端末(ＳＴＡ)の結合過程は大きく、(１)アクセスポイント(ＡＰ)を探知する段階(ｐｒｏｂｅ ｓｔｅｐ)、(２)探知されたアクセスポイント(ＡＰ)との認証段階(ａｕｔｈｅｎｔｉｃａｔｉｏｎ ｓｔｅｐ)、(３)認証されたアクセスポイント(ＡＰ)との接続段階(ａｓｓｏｃｉａｔｉｏｎ ｓｔｅｐ)に区分される。
【００５７】
端末(ＳＴＡ)は、まず、探知プロセス(ｐｒｏｃｅｓｓ)を通じて隣接するアクセスポイント(ＡＰｓ)を探知することができる。探知プロセスは、受動スキャニング(ｐａｓｓｉｖｅ ｓｃａｎｎｉｎｇ)方法と能動スキャニング(ａｃｔｉｖｅ ｓｃａｎｎｉｎｇ)方法に区分される。受動スキャニング方法は、隣接するアクセスポイント(ＡＰｓ)が伝送するビーコンを傍受(ｏｖｅｒｈｅａｒｉｎｇ)することで実行することができる。一方、能動スキャニング方法は、プローブ要請フレーム(ｐｒｏｂｅｒｅｑｕｅｓｔ ｆｒａｍｅ)をブロードキャスティング(ｂｒｏａｄｃａｓｔｉｎｇ)することで実行することができる。プローブ要請フレームを受信したアクセスポイント(ＡＰ)は、プローブ要請フレームに対応されたプローブ応答フレーム(ｐｒｏｂｅ ｒｅｓｐｏｎｓｅｆｒａｍｅ)を該当端末(ＳＴＡ)に伝送することができる。端末(ＳＴＡ)は、プローブ応答フレームを受信することで隣接するアクセスポイント(ＡＰｓ)の存在が分かる。
【００５８】
その後、端末(ＳＴＡ)は、探知されたアクセスポイント(ＡＰ)との認証を実行し、探知された複数のアクセスポイント(ＡＰｓ)との認証を実行することができる。ＩＥＥＥ８０２.１１標準による認証アルゴリズム(ａｌｇｏｒｉｔｈｍ)は、二つの認証フレームを交換するオープンシステム(ｏｐｅｎ ｓｙｓｔｅｍ)アルゴリズムと、四つの認証フレームを交換する共有キー(ｓｈａｒｅｄ ｋｅｙ)アルゴリズムと、に区分される。このような認証アルゴリズムに基づいて認証要請フレーム(ａｕｔｈｅｎｔｉｃａｔｉｏｎｒｅｑｕｅｓｔ ｆｒａｍｅ)と認証応答フレーム(ａｕｔｈｅｎｔｉｃａｔｉｏｎｒｅｓｐｏｎｓｅ ｆｒａｍｅ)を交換する過程を通じて、端末(ＳＴＡ)はアクセスポイント(ＡＰ)との認証を実行することができる。
【００５９】
最後に、端末(ＳＴＡ)は認証された複数のアクセスポイント(ＡＰｓ)の中で一つのアクセスポイント(ＡＰ)を選択し、選択されたアクセスポイント(ＡＰ)と接続を実行する。すなわち、端末(ＳＴＡ)は、選択されたアクセスポイント(ＡＰ)に接続要請フレーム(ａｓｓｏｃｉａｔｉｏｎ ｒｅｑｕｅｓｔ ｆｒａｍｅ)を伝送し、接続要請フレームを受信したアクセスポイント(ＡＰ)は、接続要請フレームに対応された接続応答フレーム(ａｓｓｏｃｉａｔｉｏｎ ｒｅｓｐｏｎｓｅ ｆｒａｍｅ)を該当端末(ＳＴＡ)に伝送する。このように、接続要請フレームと接続応答フレームを交換する過程により、端末(ＳＴＡ)はアクセスポイント(ＡＰ)との接続を実行することができる。
【００６０】
図３は、ビーコンに含まれたＴＩＭの構成要素に対する一実施例を示したブロック図である。
【００６１】
ＩＥＥＥ８０２.１１無線ＬＡＮシステムで、端末に伝送するデータがある場合、アクセスポイントは、周期的に伝送されるビーコンフレーム(ｂｅａｃｏｎ ｆｒａｍｅ)内のＴＩＭ(ｔｒａｆｆｉｃｉｎｄｉｃａｔｉｏｎ ｍａｐ)を使用して伝送するデータがあることを端末に知らせる。
【００６２】
図３を参照すれば、ＴＩＭは、要素ＩＤ(ｅｌｅｍｅｎｔ ＩＤ)フィールド(ｆｉｅｌｄ)、長さ(ｌｅｎｇｔｈ)フィールド、ＤＴＩＭ(ｄｅｌｉｖｅｒｙ ｔｒａｆｆｉｃ ｉｎｄｉｃａｔｉｏｎ ｍｅｓｓａｇｅ)カウント(ｃｏｕｎｔ)フィールド、ＤＴＩＭ周期(ＤＴＩＭｐｅｒｉｏｄ)フィールド、ビットマップ制御(ｂｉｔｍａｐ ｃｏｎｔｒｏｌ)フィールド及び部分仮想ビットマップ(ｐａｒｔｉａｌ ｖｉｒｔｕａｌ ｂｉｔｍａｐ)フィールドを含む。
【００６３】
長さフィールドは、情報フィールドの長さを示す。ＤＴＩＭカウントフィールドは、ＤＴＩＭが現われる前に現われるビーコンの個数を示し、ＤＴＩＭカウントが０である場合、現在ＴＩＭがＤＴＩＭに該当することを知らせる。ＤＴＩＭカウントフィールドは、１オクテット(ｏｃｔｅｔ)で構成される。ＤＴＩＭ周期フィールドは、連続されるＤＴＩＭ間のビーコンインターバル(ｉｎｔｅｒｖａｌ)の個数を示す。もし、全てのＴＩＭがＤＴＩＭである場合に、ＤＴＩＭ周期フィールドの値は、１である。ＤＴＩＭ周期フィールドは、１オクテットで構成される。
【００６４】
ビットマップ制御フィールドは、１オクテットで構成され、ビットマップ制御フィールドの中でビット(ｂｉｔ)番号０は、ＡＩＤ(ａｓｓｏｃｉａｔｉｏｎＩＤ)０と連関されるトラフィックインジケータビット(ｔｒａｆｆｉｃｉｎｄｉｃａｔｏｒ ｂｉｔ)を意味する。このようなビットが１に設定されてＤＴＩＭカウントフィールドの値が０である場合、少なくとも一つのマルチキャスト(ｍｕｌｔｉｃａｓｔ)またはブロードキャスト(ｂｒｏａｄｃａｓｔ)フレームがアクセスポイントにバッファリング(ｂｕｆｆｅｒｉｎｇ)されていることを示す。ビットマップ制御フィールドの中で残りの７ビットは、ビットマップオフセット(ｂｉｔｍａｐ ｏｆｆｓｅｔ)を形成する。
【００６５】
ＴＩＭ要素フォーマット(ＴＩＭ ｅｌｅｍｅｎｔ ｆｏｒｍａｔ)の長さ(Ｌｅｎｇｔｈ)フィールドが１オクテット(ｏｃｔｅｔ)を有するので、部分仮想ビットマップは、最大２５１オクテット(ｏｃｔｅｔ)まで有することができて、総合２００７個(８×２５１−１)の端末を表現することができる。
【００６６】
また、部分仮想ビットマップフィールドの各ビットは、特定端末のためにバッファリングされたトラフィック(ｔｒａｆｆｉｃ)と対応する。任意の端末のＡＩＤがＮである場合、前記任意の端末のためにバッファリングされたトラフィックが存在しなければ、部分仮想ビットマップフィールドの中でビット番号Ｎは、０に設定され、前記任意の端末のためにバッファリングされたトラフィックが存在すれば、部分仮想ビットマップフィールドの中でビット番号Ｎは、１に設定される。
【００６７】
図４は、アクセスポイントのデータ伝送過程に対する一実施例を示した概念図である。
【００６８】
図４を参照すれば、アクセスポイント(ＡＰ)は、周期的にビーコンをブロードキャスティング(ｂｒｏａｄｃａｓｔｉｎｇ)し、３個のビーコン間隔(ｉｎｔｅｒｖａｌ)でＤＴＩＭが含まれたビーコンをブロードキャスティングすることができる。省電力モード(ＰＳＭ：ｐｏｗｅｒ ｓａｖｅ ｍｏｄｅ)の端末(ＳＴＡ１、ＳＴＡ２)は、周期的に解除(ａｗａｋｅ)してビーコンを受信し、ビーコンに含まれたＴＩＭまたはＤＴＩＭを確認して自分に伝送されるデータがアクセスポイントにバッファリングされているかを確認する。この時、バッファリングされたデータが存在する場合、端末(ＳＴＡ１、ＳＴＡ２)は、解除状態を維持してアクセスポイント(Ａｐ)からデータを受信し、バッファリングされたデータが存在しない場合、端末(ＳＴＡ１、ＳＴＡ２)は、省電力状態(すなわち、ｄｏｚｅ状態)に帰る。
【００６９】
すなわち、自分のＡＩＤに対応するＴＩＭ内のビットが１に設定されている場合、端末(ＳＴＡ１、ＳＴＡ２)は自分が解除状態であり、データを受けられ状態になっていることを知らせるＰＳ(Ｐｏｗｅｒ Ｓａｖｅ)−Ｐｏｌｌフレーム(または、トリガー(ｔｒｉｇｇｅｒ)フレーム)をアクセスポイント(ＡＰ)に伝送し、アクセスポイント(ＡＰ)は、ＰＳ−Ｐｏｌｌフレームを受信することで、端末(ＳＴＡ１、ＳＴＡ２)がデータ受信のための用意ができたことを確認し、端末(ＳＴＡ１、ＳＴＡ２)にデータまたはＡＣＫ(ａｃｋｎｏｗｌｅｄｇｅｍｅｎｔ)を伝送することができる。ＡＣＫを端末(ＳＴＡ１、ＳＴＡ２)に伝送した場合、アクセスポイント(ＡＰ)は、適切な時点にデータを端末(ＳＴＡ１、ＳＴＡ２)に伝送する。一方、自分のＡＩＤに対応するＴＩＭ内のビットが０に設定されている場合、端末(ＳＴＡ１、ＳＴＡ２)は、省電力状態に帰る。
【００７０】
図５は、階層的ＡＩＤ構造を示した概念図であり、図６は、グループ化されたページとお互いに異なる周期で設定されたＴＩＭ要素を示した概念図であり、図７は、再接続要請フレーム構造を示した概念図である。
【００７１】
図５を参照すれば、階層的ＡＩＤ構造は、ページＩＤ(Ｐａｇｅ ＩＤ)、ブロックインデックス(ＢｌｏｃｋＩｎｄｅｘ)、サブブロックインデックス(Ｓｕｂ−Ｂｌｏｃｋ Ｉｎｄｅｘ)、サブブロック内のステーションビットポジションインデックス(ＳＴＡ ｂｉｔｐｏｓｉｔｉｏｎ ｉｎｄｅｘ ｉｎ ａ Ｓｕｂ−Ｂｌｏｃｋ)を含むことができる。
【００７２】
上述のような階層的ＡＩＤ構造により２００７個以上の端末をＴＩＭビットマップ(ＴＩＭ ｂｉｔｍａｐ)で表現し管理することができる。
【００７３】
図６を参照すれば、アクセスポイントは、複数の端末をページ単位にグループ化して端末の特性によって互いに異なる周期でＴＩＭ要素(ＴＩＭ ｅｌｅｍｅｎｔ)を設定する。
【００７４】
例えば、ページ１に属した端末のトラフィック量が少ない場合、ページ１に属した端末に対してはＤＴＩＭビーコンにＴＩＭ要素を設定する。また、ページ２に属した端末のトラフィック量が多い場合、ページ２に属した端末に対してはビーコンごとにＴＩＭ要素を設定してトラフィック量と同時にチャンネル接続量を調節することができる。
【００７５】
ところが、ページ単位でグループ化された端末のサービスタイプが変更された場合(例えば、他のトラフィックパターンを有するようになった場合)、端末の残余バッテリー状況が変更された場合、リッスン・インターバルを変更する必要がある場合が発生すれば、端末のＡＩＤを再割り当てする必要がある。
【００７６】
通常的に、端末は自分のＡＩＤ再割り当てのために、図７に示したような再接続要請フレーム(Ｒｅａｓｓｏｃｉａｔｉｏｎ Ｒｅｑｕｅｓｔ Ｆｒａｍｅ)を利用する。しかし、図７に示した再接続要請フレームは、一般的に端末が拡張されたサービスセット(ＥＳＳ：Ｅｘｔｅｎｄｅｄ Ｓｅｒｖｉｃｅ Ｓｅｔ)内の他の基本サービスセット(ＢＳＳ)のアクセスポイントに接続するために伝送するフレームである。すなわち、現在接続された(ａｓｓｏｃｉａｔｅｄ)アクセスポイントにＡＩＤ再割り当てを要請する場合、図７に示したような全ての情報要素を含んだ再接続要請フレームを伝送する必要はない。
【００７７】
図８は、本発明の一実施例によって端末で実行するＴＩＭ再割り当て方法を示したフローチャートである。
【００７８】
図８を参照すれば、端末１００は、現在ＡＩＤ再割り当てが必要であるか否かを判断する(ステップＳ８１０)。
【００７９】
ここで、端末１００は、端末１００のトラフィックパターン情報、バッテリー情報、サービスタイプ情報などに基づいてＡＩＤ再割り当てが必要あるか否かを判断することができる。例えば、端末１００は、伝送トラフィック量が著しく少なくなった場合や残余バッテリー量が予め設定された量以下になった場合に、以前より長い周期で解除するためにＡＩＤ再割り当てが必要であると判断する。
【００８０】
端末１００は、ステップＳ８１０を通じてＡＩＤ再割り当てが必要であると判断されると、ＡＩＤ再割り当て要請要素を含む再接続要請フレーム(Ｒｅａｓｓｏｃｉａｔｉｏｎ Ｒｅｑｕｅｓｔ Ｆｒａｍｅ)を生成する(ステップＳ８２０)。
【００８１】
ここで、端末１００は、ＡＩＤ再割り当て要請(ＡＩＤ Ｒｅａｓｓｉｇｎｍｅｎｔ Ｒｅｑｕｅｓｔ)要素(ｅｌｅｍｅｎｔ)を含んだ再接続要請フレームを生成する。また、前記再接続要請フレームは、現在接続された(ａｓｓｏｃｉａｔｅｄ)アクセスポイントに伝送するフレームであるので、Ｃａｐａｂｉｌｉｔｙ、ＬｉｓｔｅｎＩｎｔｅｒｖａｌ、Ｃｕｒｒｅｎｔ ＡＰ ａｄｄｒｅｓｓ、ＳＳＩＤ(Ｓｅｒｖｉｃｅ Ｓｅｔ Ｉｄｅｎｔｉｆｉｅｒ)、Ｓｕｐｐｏｒｔｅｄ ｒａｔｅｓフィールドと前記ＡＩＤ再割り当て要請要素で構成することができる。
【００８２】
また、前記ＡＩＤ再割り当て要請要素は、要素ＩＤ(Ｅｌｅｍｅｎｔ ＩＤ)、長さ(Ｌｅｎｇｔｈ)、ＡＩＤ再割り当て要請理由(ＡＩＤ Ｒｅａｓｓｉｇｎｍｅｎｔ ｃａｕｓｅ)フィールドを含むことができる。ここで、ＡＩＤ再割り当て要請理由フィールドは、サービスタイプ変更(Ｓｅｒｖｉｃｅ Ｔｙｐｅ ｃｈａｎｇｅ)情報、低電力モード情報(Ｌｏｗ Ｐｏｗｅｒ Ｍｏｄｅ)、リッスン・インターバル変更(Ｌｉｓｔｅｎ Ｉｎｔｅｒｖａｌ ｃｈａｎｇｅ)情報、トラフィックパターン変更情報、残余バッテリー情報などを含むことができる。
【００８３】
また、再接続要請フレームは、サービスタイプ(Ｓｅｒｖｉｃｅ Ｔｙｐｅ)要素(ｅｌｅｍｅｎｔ)をさらに含むことができる。このように再接続要請フレームがサービスタイプ要素をさらに含む場合、端末１００は、ＡＩＤ再割り当て要請理由(ＡＩＤ Ｒｅａｓｓｉｇｎｍｅｎｔ Ｃａｕｓｅ)フィールドに含まれた端末１００のサービスタイプ変更情報に基づいて変更されたサービスタイプを前記サービスタイプ要素に表示して追加することができる。
【００８４】
端末１００は、ステップＳ８２０を通じて生成した再接続要請フレームを現在接続されたアクセスポイント２００に伝送する(ステップＳ８３０)。
【００８５】
以後、端末１００は、アクセスポイントからステップＳ８３０によって伝送した再接続要請フレームに対する応答で再割り当てされたＡＩＤを含む再接続応答フレームを受信する(ステップＳ８４０)。
【００８６】
本発明の一実施例によるＡＩＤ再割り当て方法では、ＡＩＤ再割り当てを要請する理由として、サービスタイプが変更された場合、端末の残余バッテリー状況によって低電力モードに変更された場合、リッスン・インターバルを変更する必要が発生した場合を例で説明したが、本発明の他の実施例では、本発明の要旨を脱しない限り、ＡＩＤ再割り当てを要請する理由に制限はない。
【００８７】
以下、上述した再接続要請フレーム構造、ＡＩＤ再割り当て要請要素フォーマット、ＡＩＤ再割り当て要請理由フィールド及びサービスタイプ要素フォーマットを、図９〜図１２を参照して説明する。
【００８８】
図９は、本発明の一実施例による再接続要請フレーム構造を示した概念図であり、図１０は、本発明の一実施例によるＡＩＤ再割り当て要請要素フォーマットを示した概念図であり、図１１は、本発明の一実施例によるＡＩＤ再割り当て要請理由フィールドを示した概念図であり、図１２は、本発明の一実施例によるサービスタイプ要素フォーマットを示した概念図である。
【００８９】
図９を参照すれば、端末１００は、端末１００のＡＩＤを再割り当てする理由が発生したと判断されると、現在接続されたアクセスポイント２００に再接続要請フレームを伝送する。
【００９０】
ここで、アクセスポイント２００は、現在接続されたアクセスポイント２００であるので、既存の再接続要請フレームからＥｘｔｅｎｄｅｄＳｕｐｐｏｒｔｅｄ Ｒａｔｅｓ、Ｐｏｗｅｒ Ｃａｐａｂｉｌｉｔｙ、Ｓｕｐｐｏｒｔｅｄ Ｃｈａｎｎｅｌｓ、ＲＳＮ(ＲｏｂｕｓｔＳｅｃｕｒｉｔｙ Ｎｅｔｗｏｒｋ)、ＱｏＳ(Ｑｕａｌｉｔｙ ｏｆＳｅｒｖｉｃｅ)Ｃａｐａｂｉｌｉｔｙ、ＲＭ Ｅｎａｂｌｅｄ Ｃａｐａｂｉｌｉｔｉｅｓ、Ｍｏｂｉｌｉｔｙ Ｄｏｍａｉｎ要素を除外させることができる。
【００９１】
また、端末１００がアクセスポイント２００に伝送する再接続要請フレームは、Ｃａｐａｂｉｌｉｔｙ、ＬｉｓｔｅｎＩｎｔｅｒｖａｌ、Ｃｕｒｒｅｎｔ ＡＰ ａｄｄｒｅｓｓ、ＳＳＩＤ、Ｓｕｐｐｏｒｔｅｄ ｒａｔｅｓ要素を含むことができ、ＡＩＤ再割り当てを要請するために追加的にＡＩＤ再割り当て要請(ＡＩＤ Ｒｅａｓｓｉｇｎｍｅｎｔ Ｒｅｑｕｅｓｔ)、サービスタイプ(Ｓｅｒｖｉｃｅ Ｔｙｐｅ)要素を含ませることができる。
【００９２】
図１０を参照すれば、ＡＩＤ再割り当て要請要素は、１オクテットの要素ＩＤ(Ｅｌｅｍｅｎｔ ＩＤ)、１オクテットの長さ(Ｌｅｎｇｔｈ)及び１オクテットのＡＩＤ再割り当て要請理由(ＡＩＤ Ｒｅａｓｓｉｇｎｍｅｎｔ Ｃａｕｓｅ)フィールドを含むことができる。
【００９３】
特に、ＡＩＤ再割り当て要請理由(ＡＩＤ Ｒｅａｓｓｉｇｎｍｅｎｔ Ｃａｕｓｅ)フィールドには、図１１に示したように、ＡＩＤ再割り当てを要請する理由がビット(ｂｉｔ)単位で表示されることができる。
【００９４】
ここで、ＡＩＤ再割り当て要請理由フィールドは、(１)サービスタイプ変更、すなわち、応用階層のサービスタイプが変更された場合(例えば、トラフィックパターン変更)、(２)端末の残余バッテリー状況によって低電力モード(Ｌｏｗ Ｐｏｗｅｒ Ｍｏｄｅ)に変更された場合、(３)リッスン・インターバルを変更する必要性がある場合を含むことができる。また、ＡＩＤを再割り当てする必要がある場合なら、ＡＩＤ再割り当て要請理由フィールドに追加することができる。
【００９５】
図１２を参照すれば、ＡＩＤ再割り当てを要請する理由がサービスタイプの変更である場合、変更されたサービスタイプを、図９に示した再接続要請フレームの中でサービスタイプ要素に表示して追加することができる。
【００９６】
ここで、サービスタイプ要素は、要素ＩＤ(Ｅｌｅｍｅｎｔ ＩＤ)、長さ(Ｌｅｎｇｔｈ)及びサービスタイプ(Ｓｅｒｖｉｃｅ Ｔｙｐｅ)を含むことができる。
【００９７】
図１３は、本発明の一実施例によってアクセスポイントで実行するＴＩＭ再割り当て方法を示したフローチャートであり、図１４は、本発明の一実施例による再割り当て応答フレームの構造を示した概念図である。
【００９８】
図１３を参照すれば、アクセスポイント２００は、端末１００からＡＩＤ再割り当て要請要素を含む再接続要請フレームを受信する(ステップＳ１３１０)。
【００９９】
ここで、ＡＩＤ再割り当て要請要素は、ＡＩＤ再割り当てを要請する理由を示すＡＩＤ再割り当て要請理由(ＡＩＤ Ｒｅａｓｓｉｇｎｍｅｎｔ Ｃａｕｓｅ)フィールドを含むことができる。
【０１００】
前記ＡＩＤ再割り当て要請理由フィールドは、サービスタイプ変更(Ｓｅｒｖｉｃｅ Ｔｙｐｅ ｃｈａｎｇｅ)情報、低電力モード情報(Ｌｏｗ Ｐｏｗｅｒ Ｍｏｄｅ)、リッスン・インターバル変更(Ｌｉｓｔｅｎ Ｉｎｔｅｒｖａｌ Ｃｈａｎｇｅ)情報、トラフィックパターン変更情報及び残余バッテリー情報などを含むことができる。
【０１０１】
アクセスポイント２００は、ステップＳ１３１０を通じて受信された再接続要請フレームに含まれたＡＰａｄｄｒｅｓｓ、ＳＳＩＤ及びＡＩＤ再割り当て要請要素を確認し(ステップＳ１３２０)、確認結果、受信された再接続要請フレームがＡＩＤ再割り当て要請であるか否かを判断する(ステップＳ１３３０)。
【０１０２】
ここで、アクセスポイント２００は、ＡＰ ａｄｄｒｅｓｓ、ＳＳＩＤの確認を通じて端末１００が現在接続された端末であるかを確認することができ、ＡＩＤ再割り当て要請要素の確認を通じて再接続要請フレームがＡＩＤ再割り当て要請であるか否かを判断することができる。
【０１０３】
アクセスポイント２００は、ステップＳ１３３０を通じて受信された再接続要請フレームがＡＩＤ再割り当て要請である場合、ＡＩＤ再割り当て要請要素に含まれたＡＩＤ要請理由に基づいて端末１００のＡＩＤを再割り当てする(ステップＳ１３４０)。
【０１０４】
具体的に、アクセスポイント２００は、ＡＩＤ要請理由が端末１００のトラフィック量が増加した場合であれば、ビーコンごとに端末１００が解除するようにＡＩＤを再割り当てすることができる。または、端末１００のトラフィック量が減少した場合であれば、以前より長い周期ごとに端末１００が解除するようにＡＩＤを再割り当てすることができる。または、端末１００の残余バッテリーがあまり残っていないか、リッスン・インターバルを長くする必要性が発生した場合、以前より長い周期ごとに端末１００が解除するようにＡＩＤを再割り当てしてもよい。
【０１０５】
ここで、アクセスポイント２００は、ＡＩＤ再割り当て結果を、図７に示した再接続応答フレームに表示することができる。すなわち、アクセスポイント２００は、ＳｔａｔｕｓｃｏｄｅにＡＩＤ再割り当ての成功または失敗の可否を表示し、ＡＩＤフィールドに再割り当てされたＡＩＤ値を表示することができる。
【０１０６】
以後、アクセスポイント２００は、ステップＳ１３４０によって再割り当てしたＡＩＤを含む再接続応答フレームを端末１００に伝送する(ステップＳ１３５０)。
【０１０７】
本発明の一実施例によるＡＩＤ再割り当て方法によれば、再接続要請フレームに一部フィールドを追加して現在接続された端末のＡＩＤを動的に再割り当てすることができるので、無線ＬＡＮシステムを最適に運用することができる。
【０１０８】
後述される構成要素は物理的な区分ではなく機能的な区分によって定義される構成要素として、各々が実行する機能により定義されることができる。各々の構成要素は、ハードウェア及び/または各々の機能を実行するプログラムコード及びプロセッシングユニットで実現することができ、二つ以上の構成要素の機能を一つの構成要素に含ませて実現してもよい。
【０１０９】
したがって、以下の実施例で構成要素に付与される名称は、各々の構成要素を物理的に区分するためではなく、各々の構成要素が実行する代表的な機能を暗示するために付与されたことであり、構成要素の名称により本発明の技術的思想が限定されるものではない。
【０１１０】
図１５は、本発明の一実施例によるＡＩＤ再割り当て方法を実行する端末の構成を示した図である。
【０１１１】
図１５を参照すれば、本発明の一実施例による端末１００は、送受信部１１０及びプロセッシング部１２０を含むことができる。
【０１１２】
送受信部１１０は、プロセッシング部１２０の制御に基づいてアクセスポイント２００または他の端末と通信を実行する。
【０１１３】
プロセッシング部１２０は、現在ＡＩＤ再割り当てが必要であるか否かを判断する。
【０１１４】
ここで、プロセッシング部１２０は、端末１００のトラフィックパターン情報、バッテリー情報、サービスタイプ情報などに基づいてＡＩＤ再割り当てが必要であるか否かを判断することができる。
【０１１５】
また、プロセッシング部は、ＡＩＤ再割り当てが必要であると判断されると、ＡＩＤ再割り当て要請要素を含む再接続要請フレームを生成する。
【０１１６】
具体的に、プロセッシング部１２０は、ＡＩＤ再割り当て要請(ＡＩＤ Ｒｅａｓｓｉｇｎｍｅｎｔ Ｒｅｑｕｅｓｔ)要素(ｅｌｅｍｅｎｔ)を含んだ再接続要請フレームを生成する。
【０１１７】
ここで、前記再接続要請フレームは、現在接続されたアクセスポイント２００に伝送するフレームであるので、Ｃａｐａｂｉｌｉｔｙ、ＬｉｓｔｅｎＩｎｔｅｒｖａｌ、Ｃｕｒｒｅｎｔ ＡＰ ａｄｄｒｅｓｓ、ＳＳＩＤ(Ｓｅｒｖｉｃｅ Ｓｅｔ Ｉｄｅｎｔｉｆｉｅｒ)、Ｓｕｐｐｏｒｔｅｄ ｒａｔｅｓフィールドと前記ＡＩＤ再割り当て要請要素とで構成することができる。
【０１１８】
また、前記ＡＩＤ再割り当て要請要素は、ＡＩＤ再割り当て要請理由(ＡＩＤ Ｒｅａｓｓｉｇｎｍｅｎｔ ｃａｕｓｅ)フィールドを含むことができる。ここで、ＡＩＤ再割り当て要請理由フィールドは、サービスタイプ変更(Ｓｅｒｖｉｃｅ Ｔｙｐｅ ｃｈａｎｇｅ)情報、低電力モード情報(Ｌｏｗ Ｐｏｗｅｒ Ｍｏｄｅ)、リッスン・インターバル変更(Ｌｉｓｔｅｎ Ｉｎｔｅｒｖａｌ ｃｈａｎｇｅ)情報、トラフィックパターン変更情報、残余バッテリー情報などを含むことができる。
【０１１９】
また、プロセッシング部１２０は、再接続要請フレームにサービスタイプ(Ｓｅｒｖｉｃｅ Ｔｙｐｅ)要素(ｅｌｅｍｅｎｔ)が含まれた場合、ＡＩＤ再割り当て要請理由(ＡＩＤ ＲｅａｓｓｉｇｎｍｅｎｔＣａｕｓｅ)フィールドに含まれた端末１００のサービスタイプ変更情報に基づいて変更されたサービスタイプを前記サービスタイプ要素に表示して追加することができる。
【０１２０】
また、プロセッシング部１２０は、送受信部１１０を通じて、生成した再接続要請フレームを現在接続されたアクセスポイント２００に伝送する。
【０１２１】
また、プロセッシング部１２０は、送受信部１１０を通じてアクセスポイント２００から再割り当てされたＡＩＤを含む再接続応答フレームを受信する。
【０１２２】
本発明の一実施例によるＡＩＤ再割り当て方法を実行する端末は、ＡＩＤ再割り当てを要請する理由として、サービスタイプが変更された場合、端末の残余バッテリー状況によって低電力モードに変更された場合、リッスン・インターバルを変更する必要が発生した場合を例で説明したが、本発明の他の実施例では、本発明の要旨を脱しない限り、ＡＩＤを再割り当てする必要がある事項がＡＩＤ再割り当てを要請する理由になることができる。
【０１２３】
図１６は、本発明の一実施例によるＡＩＤ再割り当て方法を実行する端末の構成を示した図である。
【０１２４】
図１６を参照すれば、本発明の一実施例によるアクセスポイント２００は、通信部２１０及びプロセッシング部２２０を含むことができる。
【０１２５】
通信部２１０は、プロセッシング部２２０の制御に基づいて周辺端末と通信を実行することができる。
【０１２６】
プロセッシング部２２０は、通信部２１０を通じて端末１００からＡＩＤ再割り当て要請要素を含む再接続要請フレームを受信する。
【０１２７】
ここで、ＡＩＤ再割り当て要請要素は、ＡＩＤ再割り当てを要請する理由を示すＡＩＤ再割り当て要請理由フィールドを含むことができ、前記ＡＩＤ再割り当て要請理由フィールドは、サービスタイプ変更(Ｓｅｒｖｉｃｅ Ｔｙｐｅ ｃｈａｎｇｅ)情報、低電力モード情報(Ｌｏｗ Ｐｏｗｅｒ Ｍｏｄｅ)、リッスン・インターバル変更(Ｌｉｓｔｅｎ Ｉｎｔｅｒｖａｌ Ｃｈａｎｇｅ)情報、トラフィックパターン変更情報及び残余バッテリー情報などを含むことができる。
【０１２８】
プロセッシング部２２０は、受信された再接続要請フレームがＡＩＤ再割り当て要請であるか否かを判断する。
【０１２９】
ここで、プロセッシング部２２０は、ＡＰ ａｄｄｒｅｓｓ、ＳＳＩＤの確認を通じて端末１００が現在接続された端末でることを確認することができ、ＡＩＤ再割り当て要請要素の確認を通じて再接続要請フレームがＡＩＤ再割り当て要請であるか否かを判断することができる。
【０１３０】
プロセッシング部２２０は、受信された再接続要請フレームがＡＩＤ再割り当て要請であれば、ＡＩＤ再割り当て要請要素に含まれたＡＩＤ要請理由に基づいて端末１００のＡＩＤを再割り当てて、再割り当てたＡＩＤを含んだ再接続応答フレームを生成する。
【０１３１】
ここで、プロセッシング部２２０は、再接続応答フレームの中でＳｔａｔｕｓｃｏｄｅにＡＩＤ再割り当ての成功または失敗の可否を表示し、ＡＩＤフィールドに再割り当てされたＡＩＤ値を表示することができる。
【０１３２】
また、プロセッシング部２２０は、再割り当てたＡＩＤを含む再接続応答フレームを通信部２１０により端末１００に伝送する。
【０１３３】
本発明の一実施例によるＡＩＤ再割り当て方法を実行するアクセスポイントによれば、再接続要請フレームに一部フィールドを追加して現在接続された端末のＡＩＤを動的に再割り当てすることができるので、無線ＬＡＮシステムを最適で運用することができる。
【０１３４】
以上、添付した図面を参照して本発明の実施形態について説明したが、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図１】
0005982571.tif 000002
【図２】
0005982571.tif 000003
【図３】
0005982571.tif 000004
【図４】
0005982571.tif 000005
【図５】
0005982571.tif 000006
【図６】
0005982571.tif 000007
【図７】
0005982571.tif 000008
【図８】
0005982571.tif 000009
【図９】
0005982571.tif 000010
【図１０】
0005982571.tif 000011
【図１１】
0005982571.tif 000012
【図１２】
0005982571.tif 000013
【図１３】
0005982571.tif 000014
【図１４】
0005982571.tif 000015
【図１５】
0005982571.tif 000016
【図１６】
0005982571.tif 000017